(57)【要約】【課題】支持鏡筒を樹脂による射出成形で形成しながらも、支持鏡筒を回転カム筒の外側に配する。【解決手段】回転カム筒４０を、切削加工により形成する。回転カム筒４０の外周面に、ズームローラ５２が挿通される第１〜第３カム孔４０ａ〜４０ｃ及び回転規制孔４０ｄを、切削加工により形成する。回転規制孔４０ｄに、規制ローラ５６を挿入する。規制ローラ５６が、回転規制孔４０ｄの両端部に当接すると、回転カム筒４０の回転が規制される。支持鏡筒４４を、樹脂による射出成形により形成する。支持鏡筒４４に、ガイド溝４４ａ、取付孔４４ｂを形成する。回転規制孔４０ｄに規制ローラ５６を挿入した後、ローラ孔５６ａにローラ支軸５７の支軸部５７ａを挿入する。そして、ネジ５８によりローラ支軸５７を支持鏡筒４４に固定する。【選択図】図３
2008008955.tif 000002
【特許請求の範囲】
【請求項１】
画像光を結像してスクリーンに画像を投映する投映レンズと、
回転自在に設けられ、回転により前記投映レンズを光軸方向に移動させる回転カム筒と、を備えたプロジェクタにおいて、
前記回転カム筒の外側に設けられるとともに当該回転カム筒を回転自在に支持し、樹脂の射出成形により形成される支持鏡筒と、
前記回転カム筒に形成された回転規制孔に係合する係合部材と、
前記支持鏡筒に設けられ、前記係合部材を支持する支持軸と、を備え、
前記回転カム筒が回転し、前記係合部材が前記回転規制孔の端部に当接したときに、前記回転カム筒の回転が規制されることを特徴とするプロジェクタ。
【請求項２】
前記係合部材は、前記支持軸により回転自在に支持されたローラから構成されることを特徴とする請求項１記載のプロジェクタ。
【請求項３】
前記支持軸は、前記ローラを回転自在に支持するローラ支軸と、前記支持鏡筒に形成された挿通孔を挿通され、前記ローラ支軸を保持する保持部材と、を備えることを特徴とする請求項２記載のプロジェクタ。
【請求項４】
前記回転カム筒に、前記投映レンズを光軸方向に移動させるカム孔を切削加工により形成したことを特徴とする請求項１ないし３いずれか１つ記載のプロジェクタ。
【発明の詳細な説明】
【技術分野】
【０００１】
本発明は、画像光を投映レンズにより結像してスクリーン上に画像を投映するプロジェクタに関するものである。
【背景技術】
【０００２】
プロジェクタには、レンズを光軸方向に移動させるための回転カム筒が設けられている。レンズには、リング状や円筒形のレンズ枠が固着されている（例えば、特許文献１参照）。レンズ枠は、円筒状の回転カム筒の内部に移動自在に取り付けられている。回転カム筒の外周には、長孔状のカム孔が形成され、レンズ枠の外周には、カム孔に挿通されるレンズローラが取り付けられている。回転カム筒の内側には、回転カム筒を回転自在に支持する支持鏡筒が配されている。支持鏡筒の後端部には、径方向に突出したフランジ部が形成されており、このフランジ部は、プロジェクタ内部の固定部材に固定されている。レンズローラは、支持鏡筒に形成された挿通孔を介してカム孔に挿通されており、回転カム筒を回転させると、レンズ枠が光軸方向に移動し、このレンズ枠の移動により、投映画像のズームを行う。
【０００３】
カム孔は、その寸法管理がシビアに求められるため、切削により回転カム筒に形成されている。一方、支持鏡筒は、コストダウンを図るために、樹脂による射出成形で形成されている。
【０００４】
近年では、ズーム量を増加させるために、レンズ枠の移動量を大きくしたプロジェクタが提案されている。レンズ枠の移動量を大きくするためには、回転カム筒及び支持鏡筒の長さも長くする必要がある。
【０００５】
しかしながら、支持鏡筒は後端部のフランジ部で固定部材に固定されているため、長さが長くなると、固定したときの安定性が悪くなるという問題があった。そこで、支持鏡筒を、回転カム筒の外側に配し、フランジ部を支持鏡筒の後端部よりも前側に形成することが考えられている。この場合には、支持鏡筒に、回転カム筒の回転を規制する長孔状の回転規制孔を形成し、この回転規制孔に、回転カム筒に設けられた回転規制ローラを挿入し、回転カム筒が回転したときには、回転規制ローラが回転規制孔の端部に当接することにより、回転カム筒の回転が規制されるようにする。
【特許文献１】特開２００３−６６３１６号公報
【発明の開示】
【発明が解決しようとする課題】
【０００６】
しかしながら、支持鏡筒は樹脂による射出成形品であり、支持鏡筒を射出成形するときのゲートは、後面に設けられており、射出成形時には、後面から前面側に向けて樹脂が流れる。このため、長手方向が上下方向（樹脂の流れる方向に対向する方向）である回転規制孔を、支持鏡筒に形成する場合には、回転規制孔の周囲で樹脂の流れが悪くなり、成形安定性が悪く、回転規制孔の寸法をシビアに管理することができないという問題があった。回転規制孔の寸法が異常な場合には、回転カム筒の回転も異常なものとなり、レンズ枠の光軸方向への移動も異常なものとなってしまうという問題があった。
【０００７】
本発明は、上記課題を解決するためになされたものであり、支持鏡筒を樹脂による射出成形で形成しながらも、支持鏡筒を回転カム筒の外側に配することができるプロジェクタを提供することを目的とする。
【課題を解決するための手段】
【０００８】
上記課題を解決するために、本発明のプロジェクタは、画像光を結像してスクリーンに画像を投映する投映レンズと；回転自在に設けられ、回転により前記投映レンズを光軸方向に移動させる回転カム筒と；を備えたプロジェクタにおいて、前記回転カム筒の外側に設けられるとともに当該回転カム筒を回転自在に支持し、樹脂の射出成形により形成される支持鏡筒と；前記回転カム筒に形成された回転規制孔に係合する係合部材と；前記支持鏡筒に設けられ、前記係合部材を支持する支持軸と；を備え、前記回転カム筒が回転し、前記係合部材が前記回転規制孔の端部に当接したときに、前記回転カム筒の回転が規制されることを特徴とする。なお、前記支持鏡筒を構成する樹脂としては、ポリカーボネイト等が挙げられる。また、前記支持軸としては、前記支持鏡筒とは別の部材から構成する、前記支持鏡筒に一体的に形成することが挙げられる。さらに、前記回転規制孔を、切削加工により前記回転カム筒に形成することが好ましく、前記回転カム筒を構成する素材としては、アルミや黄銅等が挙げられる。また、前記係合部材が当接する前記回転規制孔の端部は、前記回転規制孔の端部により形成される回転カム筒の壁面を示す。
【０００９】
また、前記係合部材は、前記支持軸により回転自在に支持されたローラから構成されることが好ましい。なお、前記ローラを構成する素材としては、ポリアセタールや黄銅等が挙げられる。
【００１０】
さらに、前記支持軸は、前記ローラを回転自在に支持するローラ支軸と；前記支持鏡筒に形成された挿通孔を挿通され、前記ローラ支軸を保持する保持部材と；を備えることが好ましい。なお、前記保持部材としては、ネジや樹脂部材等が挙げられる。
【００１１】
また、前記回転カム筒に、前記投映レンズを光軸方向に移動させるカム孔を切削加工により形成することが好ましい。
【発明の効果】
【００１２】
本発明のプロジェクタによれば、画像光を結像してスクリーンに画像を投映する投映レンズと；回転自在に設けられ、回転により投映レンズを光軸方向に移動させる回転カム筒と；回転カム筒の外側に設けられるとともに当該回転カム筒を回転自在に支持し、樹脂の射出成形により形成される支持鏡筒と；回転カム筒に形成された回転規制孔に係合する係合部材と；支持鏡筒に設けられ、係合部材を支持する支持軸と；を備え、回転カム筒が回転し、係合部材が回転規制孔の端部に当接したときに、回転カム筒の回転が規制されるから、支持鏡筒を樹脂の射出成形で形成しながらも、支持鏡筒を回転カム筒の外側に配することができる。さらに、支持鏡筒をプロジェクタ内部に固定するためのフランジ部を、支持鏡筒の外周面の後端部以外に形成することができ、投映レンズの移動量を多くするために回転カム筒及び支持鏡筒の長さを長くした場合にも、安定性を保ちながら、支持鏡筒をプロジェクタ内部に固定することができる。
【００１３】
また、係合部材は、支持軸により回転自在に支持されたローラから構成されるから、係合部材と回転カム筒との接触抵抗を軽減することができる。
【発明を実施するための最良の形態】
【００１４】
図１に、本発明を実施したプロジェクタ１０の外観を示す。プロジェクタ１０は、使用時にはレンズカバーを開放することにより、筺体１４の前面に第１投映レンズ１１が露呈する。筐体１４内の第１投映レンズ１１の後方には、第２投映レンズ１２、第３投映レンズ１３が配設されている。第１投映レンズ１１の前方には、スクリーン１５（図２参照）が配置され、第１投映レンズ１１から画像が投映される。筺体１４の上面には、回動式のズームダイヤル１６が設けられ、ズームダイヤル１６を操作（回動）することによって、第１〜第３投映レンズ１１〜１３による投映画像（スクリーン１５に投映される画像）のズーム調整を行うことができる。ズームダイヤル１６を図１中Ａ方向及びＢ方向に回動すると、投映画像のズームが調整される。
【００１５】
図２に、プロジェクタ１０の概略的な構成図を示す。筺体１４の内部には、光源２１、照明光学系２２、全反射プリズム２３、ＤＭＤ２４、投映光学系２５、ズーム調整機構２６等が設けられている。光源２１としては、例えば、キセノンランプや水銀ランプなどの白色光源が使用される。光源２１から照射された照明光は、照明光学系２２へ入射する。
【００１６】
照明光学系２２は、カラーホイール３１、ロッドインテグレータ３２、リレーレンズ３３，３４、ミラー３５からなる。カラーホイール３１は、光源２１からの照明光をＢ、Ｇ、Ｒの３色に時分割で分離する。カラーホイール３１は、略円板形状の基板に、Ｂ光のみを透過するＢフィルタ、Ｇ光のみを透過するＧフィルタ、Ｒ光のみを透過するＲフィルタの３色のフィルタを基板の回転中心からほぼ等距離に配置したものである。カラーホイール３１は、高速で回転して、各色のフィルタを照明光路に順次挿入する。これにより、照明光がＢ、Ｇ、Ｒの３色に時分割で色分離され、分離された各色の光が順次ＤＭＤ２４に向けて照射される。
【００１７】
ロッドインテグレータ３２は、例えばガラス製で、内側に反射面が形成されている。カラーホイール３１で分離された光は、ロッドインテグレータ３２を透過する間に反射を繰り返すことによって均斉化される。リレーレンズ３３，３４は、ロッドインテグレータ３２から射出した光束をミラー３５に中継する。ミラー３５は、この光束を全反射プリズム２３へ向けて反射させる。
【００１８】
全反射プリズム２３は、ミラー３５からＤＭＤ２４へ入射する入射光と、ＤＭＤ２４で反射する反射光とを分離するためのものである。全反射プリズム２３は、例えば、異なる屈折率を持つ２つの三角プリズムから構成されており、それら２つの三角プリズムの境界に反射面２４ａが形成される。入射光は、入射角が臨界角よりも大きいため、反射面２４ａで全反射してＤＭＤ２４へ入射する。他方、ＤＭＤ２４で反射した反射光は、入射角が臨界角よりも小さいため、反射面２４ａを透過する。
【００１９】
ＤＭＤ２４は、周知のように、受光面に画素に対応する多数のミラー素子がマトリックス状に配列されたものである。各ミラー素子は、投映する画像に基づいて、角度を変化させることにより、受光した照明光の反射方向を変化させる。画素を明るく表示させる場合には、ミラー素子をオン位置に変位させて受光した光をオン光として投映光学系２５に向けて反射させる。他方、画素を暗く表示する場合には、ミラー素子をオフ位置に変位させて受光した光をオフ光として投映光学系２５から外れた方向に向けて反射させる。画像光は、投映光学系２５に向かうオン光の集合により構成される。
【００２０】
図２、図３及び図４に示すように、投映光学系２５は、回転カム筒４０と、第１投映レンズ１１を有する第１レンズユニット４１と、第２投映レンズ１２を有する第２レンズユニット４２と、第３投映レンズ１３を有する第３レンズユニット４３と、支持鏡筒４４と、を備える。第１〜第３レンズユニット４１〜４３は、回転カム筒４０内に配設されている。詳しくは後述するように、第１〜第３レンズユニット４１〜４３は、図２及び図３中Ｃ方向及びＤ方向に移動可能に設けられている。ＤＭＤ２４によって生成された画像光は、投映光学系２５によってスクリーン１５に結像される。これにより、スクリーン１５上に画像が投映される。なお、投映光学系２５を構成する投映レンズの枚数は３枚に限定されることなく、適宜変更されるものである。
【００２１】
回転カム筒４０は、アルミダイキャスト製で、切削加工により円筒状に形成されている。回転カム筒４０の外周面には、第１〜第３レンズユニット４１〜４３の各ズームローラ５２が挿通される長孔状の第１〜第３カム孔４０ａ〜４０ｃが、切削加工により形成されている。第１〜第３カム孔４０ａ〜４０ｃは、それぞれ１２０°ピッチで３個ずつ形成されている。第１〜第３カム孔４０ａ〜４０ｃは、回転カム筒４０が時計方向に回転されると、第１レンズユニット４１が後方（図３中Ｄ方向）に移動し、第２レンズユニット４２が後方に移動し、第３レンズユニット４３が前方（図３中Ｃ方向）に移動し、回転カム筒４０が反時計方向に回転されると、第１レンズユニット４１が前方に移動し、第２レンズユニット４２が前方に移動し、第３レンズユニット４３が後方に移動するように、形成されている。
【００２２】
回転カム筒４０の外周面には、回転規制孔４０ｄが切削加工により形成されている。回転規制孔４０ｄには、回転規制孔４０ｄに係合し、回転カム筒４０の回転を規制するための規制ローラ（係合部材）５６が挿入されている。回転規制孔４０ｄ及び第１〜第３カム孔４０ａ〜４０ｃは、規制ローラ５６が回転規制孔４０ｄの両端部に当接したときに、各ズームローラ５２が第１〜第３カム孔４０ａ〜４０の両端部に当接しないようなサイズで形成されている。これにより、規制ローラ５６が、回転規制孔４０ｄの両端部、詳しくは回転規制孔４０ｄの両端部により形成される回転カム筒４０の壁面に当接することにより、回転カム筒４０の回転が規制される。すなわち、規制ローラ５６が、回転規制孔４０ｄの両端部に当接したときに、拡大及び縮小の各ズーム量が最大となる。
【００２３】
回転カム筒４０の外周面には、後述する操作ネジ４５を取り付けるための取付孔４０ｅが形成されている。この取付孔４０ｅは、操作ネジ４５のネジ切りされた軸部４５ａと噛合するように、ネジ切り加工されている。
【００２４】
取付孔４０ｅには、操作ネジ４５が取り付けられる。操作ネジ４５は、ネジ切りされた軸部４５ａと頭部４５ｂとを備え、樹脂製の操作カバー４６により覆われた状態で、軸部４５ａが取付孔４０ｅに噛合する。操作カバー４６は、ズーム調整機構２６により、回転カム筒４０を回転させ、投映画像（スクリーン１５に投映させる画像）のズーム調整を行うときに操作されるものであり、操作ネジ４５が挿入される２段の段付き状の挿入孔４６ａが形成されている。操作ネジ４５は、挿入孔４６ａに挿入すると、操作カバー４６により覆われる。
【００２５】
ズーム調整機構２６は、回転カム筒４０を回転させ、第１〜第３投映レンズ１１〜１３を移動させることにより、投映画像（スクリーン１５に投映させる画像）のズーム調整を行うものであり、回動式のズームダイヤル１６の回動角度（操作量）に応じて投映画像がズーム調整されるように、回転カム筒４０を回転させて、第１〜第３投映レンズ１１〜１３を移動させる。
【００２６】
図５に示すように、第１レンズユニット４１は、第１投映レンズ１１とレンズホルダ５０とを備える。レンズホルダ５０は、第１投映レンズ１１に固定されるホルダ本体５１と、回転カム筒４０に形成された第１カム孔４０ａに係合するポリアセタール製のズームローラ５２と、ズームローラ５２を着脱自在で且つ回転可能に支持するローラ支持部５３と、を備える。ローラ支持部５３は、１２０°ピッチで３個、ホルダ本体５１の外周面に取り付けられており、各ローラ支持部５３は、それぞれズームローラ５２を回転可能に支持している。なお、第１投映レンズ１１及びレンズホルダ５０は、第１投映レンズ１１にレンズホルダ５０を固定したときに、第１投映レンズ１１の中心からローラ支持部５３の外周面までの長さが、回転カム筒４０の内周半径よりも若干小さくなるように形成されている。これにより、レンズホルダ５０からズームローラ５２を取り外した状態では、第１レンズユニット４１を、回転カム筒４０内部に挿入することができる。
【００２７】
ズームローラ５２は、第１レンズユニット４１を回転カム筒４０に組み付けたときに、回転カム筒４０の外周面から突出するように形成されている。ローラ支持部５３に取り付けられ、回転カム筒４０の外周面から突出したズームローラ５２は、支持鏡筒４４に形成された直進ガイドとしてのガイド溝４４ａ（図３及び図６参照）に挿入される。ガイド溝４４ａは、投映光軸方向に直線状に形成されており、これにより、回転カム筒４０が回転されると、第１〜第３レンズユニット４１〜４３は、投映光軸方向に移動する。
【００２８】
第１レンズユニット４１と同様にして、第２レンズユニット４２は、第２投映レンズ１２とレンズホルダ５０とを備え、第３レンズユニット４３は、第３投映レンズ１３とレンズホルダ５０とを備える。
【００２９】
図６に示すように、支持鏡筒４４は、樹脂（例えば、ポリカーボネイト等）の射出成形により円筒状に形成されており、ズームローラ５２の直進ガイドとしてのガイド溝４４ａと、規制ローラ５６を取り付けるための取付孔（挿通孔）４４ｂと、が形成されている。ガイド溝４４ａは、投映光軸方向に直線状に形成されている。ガイド溝４４ａは、１２０°ピッチで３個形成されている。なお、支持鏡筒４４を射出成形するときのゲートは、後面に設けられており、射出成形時には、後面から前面側に向けて樹脂が流れる。これにより、長手方向が前後方向（樹脂の流れる方向）であるガイド溝４４ａの周囲、及び円形状の取付孔４４ｂの周囲で樹脂の流れが悪くなることによる成形不良が発生することがない。
【００３０】
支持鏡筒４４の外周面には、後端部よりも前側にフランジ部４４ｃが形成されており、このフランジ部４４ｃは、プロジェクタ１０内部の固定部材に固定されている。
【００３１】
支持鏡筒４４の外周面には、操作ネジ４５及び操作カバー４６を挿通するための挿通孔４４ｄが形成されている。この挿通孔４４ｄは、操作ネジ４５及び操作カバー４６が取り付けられた回転カム筒４０を、回転可能範囲内で回転させたときに、操作カバー４６が支持鏡筒４４に当接しないサイズで、且つ、射出成形時に寸法誤差が発生した場合（例えば、規格寸法よりも小さく成形されたとき等）にも、操作カバー４６が支持鏡筒４４に当接しないサイズで形成されている。
【００３２】
操作ネジ４５を回転カム筒４０に取り付ける場合には、回転カム筒４０を支持鏡筒４４に係合した後、操作ネジ４５の軸部４５ａを、操作カバー４６の挿入孔４６ａ、挿通孔４４ｄに挿通させて、取付孔４０ｅに噛合させる。これにより、操作ネジ４５は、操作カバー４６により覆われた状態で、回転カム筒４０に取り付けられる。そして、ズーム調整機構２６は、操作カバー４６を操作することにより、回転カム筒４０を回転させる。
【００３３】
第１レンズユニット４１を、回転カム筒４０及び支持鏡筒４４に組み付ける態様について説明を行う。なお、第２レンズユニット４２及び第３レンズユニット４３を、回転カム筒４０に組み付ける態様についても、同様のものである。
【００３４】
先ず、レンズホルダ５０からズームローラ５２を取り外した状態で、第１レンズユニット４１を、回転カム筒４０内部に挿入した後、図７（Ａ）に示すように、回転カム筒４０を、支持鏡筒４４内部に挿入する。そして、ズームローラ５２の根元側を、支持鏡筒４４のガイド溝４４ａ、第１カム孔４０ａに挿通して、ローラ支持部５３に取り付ける。なお、支持鏡筒４４の外側には、支持鏡筒４４、操作カバー４６、ズームローラ５２、ネジ５８を覆うカバー筒（図示せず）が取り付けられており、ユーザが、操作カバー４６、ズームローラ５２、ネジ５８に触れることができないようになっている。
【００３５】
次に、図７（Ｂ）に示すように、回転カム筒４０の回転規制孔４０ｄにポリアセタール製の規制ローラ５６を挿入した後、規制ローラ５６のローラ孔５６ａにローラ支軸５７の支軸部５７ａを挿入する。そして、ネジ（保持部材）５８を取付孔４４ｂに挿入し、ローラ支軸５７の支軸孔５７ｂにネジ締めして、ローラ支軸５７を支持鏡筒４４に固定する。ローラ支軸５７には、ローラ受け部５７ｃが形成されており、規制ローラ５６が回転規制孔４０ｄ内に位置することとなる。なお、規制ローラ５６の外径は、回転規制孔４０ｄの図７における左右方向の幅と略一致して隙間が生じることがないように形成され、また、規制ローラ５６の内径は、支軸部５７ａの外径と略一致して隙間が生じることがないように形成され、さらに、規制ローラ５６の厚み（図７における上下方向の長さ）は、支持鏡筒４４の内面からローラ受け部５７ｃの上面までの距離と略一致して隙間が生じることがないように形成されており、これにより、規制ローラ５６は、ガタつきがなく支持された状態となる。
【００３６】
上記のように構成されたプロジェクタ１０の作用について説明する。ユーザが、回動式のズームダイヤル１６を回動（操作）すると、ズーム調整機構２６は、回転カム筒４０を回転させ、第１〜第３投映レンズ１１〜１３を移動させることにより、投映画像（スクリーン１５に投映させる画像）のズーム調整を行う。このズーム調整のために回転カム筒４０が回転させたとき、規制ローラ５６が、回転規制孔４０ｄの両端部に当接することにより、回転カム筒４０の回転が規制される。規制ローラ５６が回転規制孔４０ｄの両端部に当接したとき、各ズームローラ５２が第１〜第３カム孔４０ａ〜４０の両端部に当接することがない。
【００３７】
このように、回転カム筒４０に回転規制孔４０ｄを切削加工により形成し、樹脂の射出成形により形成された支持鏡筒４４に取付孔４４ｂを形成し、ローラ支軸５７及びネジ５８を用いて、規制ローラ５６を回転自在に回転規制孔４０ｄ内に配したから、支持鏡筒４４を樹脂による射出成形で形成しながらも、支持鏡筒４４を回転カム筒４０の外側に配することができる。
【００３８】
また、支持鏡筒４４をプロジェクタ１０内部に固定するためのフランジ部４４ｃを、支持鏡筒４４の後端部よりも前側に形成することができ、第１〜第３投映レンズ１１〜１３の移動量を多くするために回転カム筒４０及び支持鏡筒４４の長さを長くした場合にも、安定性を保ちながら、支持鏡筒４４をプロジェクタ１０内部に固定することができる。
【００３９】
なお、上記実施形態では、ネジ５８により、ローラ支軸５７を支持鏡筒４４に固定したが、これに限定されることなく、規制ローラ５６を支持した状態でローラ支軸５７を固定することができればよく、例えば、先端部に爪部が形成された樹脂品により、ローラ支軸５７を支持鏡筒４４に固定するようにしてもよい。
【００４０】
また、上記実施形態では、規制ローラ５６をガタつきがないように支持したが、ガタつきがない状態であれば、規制ローラ５６を回転自在に支持するようにしてもよく、適宜変更可能である。
【００４１】
また、上記実施形態では、ローラ支軸５７及びネジ５８を用いて、規制ローラ５６を回転規制孔４０ｄ内に配したが、これに限定されることなく、規制ローラ５６を回転規制孔４０ｄ内に配することができればよく、例えば、１個の部材で規制ローラ５６を支持するようにしてもよく、さらには、支持鏡筒４４に一体的に形成された支持部で規制ローラ５６を回転自在に支持するようにしてもよい。
【図面の簡単な説明】
【００４２】
【図１】プロジェクタを示す外観図である。
【図２】プロジェクタの概略的な構成を示す説明図である。
【図３】投映光学系を示す斜視図である。
【図４】回転カム筒を示す斜視図である。
【図５】第１レンズユニットを示す斜視図である。
【図６】支持鏡筒を示す斜視図である。
【図７】第１〜第３レンズユニットと回転カム筒と支持鏡筒と規制ローラとローラ支軸とネジとを示す側面断面図である。
【符号の説明】
【００４３】
１０  プロジェクタ
１１〜１３  第１〜第３投映レンズ
２５  投映光学系
４０  回転カム筒
４０ａ〜４０ｃ  第１〜第３カム孔
４０ｄ  回転規制孔
４１〜４３  第１〜第３レンズユニット
４４  支持鏡筒
４４ａ  ガイド溝
４４ｂ  取付孔（挿通孔）
５６  規制ローラ（係合部材）
５７  ローラ支軸
５８  ネジ（保持部材）
【図１】
2008008955.tif 000003
【図２】
2008008955.tif 000004
【図３】
2008008955.tif 000005
【図４】
2008008955.tif 000006
【図５】
2008008955.tif 000007
【図６】
2008008955.tif 000008
【図７】
2008008955.tif 000009